(57)【要約】【課題】  握り強さを加減する必要がなく普通に握ることでツボを効率良く押圧して刺激できることは勿論、血液の循環を活性化させることができる感触の良いマッサージ具を提供する。【解決手段】  木製の球体２表面に、略均等に配置されて突出高さｈが外径ｄと略同一の寸法となるように希土類を素材とする永久磁石で構成された複数の棒状触圧子４ａ、４ｂ、４Ｌ、４Ｒを植設することで、球体２の表面に植設された複数の触圧子４ａ、４ｂ、４Ｌ、４Ｒが、最適な間隔ないし突出寸法ｈ、外径寸法ｄを有しているので、効率良くツボに刺激を与えることは勿論、磁力線の作用で血液の循環を活発にさせることができる。また、永久磁石の素材に保持力の大きい希土類を採用することにより、磁力の保持力が維持されるので長期的に使用することができる。【選択図】  図１
0003117052.tif 000002
【実用新案登録請求の範囲】
【請求項１】
木製で構成された球体２と、該球体２の表面に略均等配置になるよう植設し外方に向けて放射状に突出した複数の棒状触圧子４ａ、４ｂ、４Ｌ、４Ｒとから成り、上記触圧子４ａ、４ｂ、４Ｌ、４Ｒは、希土類を素材とする永久磁石で構成し、突出高さが外径と略同一寸法を有すると共に、上記球体２の中心Ｏを通る軸線Ｘ−Ｘ上に一対の触圧子４ａ、４ｂを配し、上記中心Ｏを頂点とする上記軸線Ｘ−Ｘ上に相互の頂角が略１２０°となる一対の仮想円錐体５ａ、５ｂを点対称に配置して該上記一対の仮想円錐体５ａ、５ｂの円錐面と交わる上記球体２の外周面に形成される一対の円周６ａ、６ｂ上に４本の触圧子４Ｌ、４Ｒをそれぞれ等配し、これらが相互に千鳥配置になるよう構成したことを特徴とするマッサージ具。
【請求項２】
上記触圧子４ａ、４ｂ、４Ｌ、４Ｒは、球体２表面に略均等に描かれる仮想三角形Ｔの各頂点４ａ′、４ｂ′、４Ｌ′、４Ｒ′に配置されている請求項１に記載のマッサージ具。
【請求項３】
上記球体２は、直径Ｄが２７ｍｍ〜３７ｍｍであって、上記触圧子４ａ、４ｂ、４Ｌ、４Ｒの直径ｄ及び突出高さｈが６ｍｍ〜８ｍｍで形成され、上記球体２の直径Ｄに対する触圧子４ａ、４ｂ、４Ｌ、４Ｒの突出高さｈの比が０．２２である請求項１または２に記載のマッサージ具。
【請求項４】
上記球体２の直径Ｄに対し、上記球体２の表面上における隣接する触圧子４ａ、４ｂ、４Ｌ、４Ｒ中心間の直線長さＬの比が、０．７８である請求項１〜３の何れかに記載のマッサージ具。
【請求項５】
上記球体２の表面積に対する全触圧子４ａ、４ｂ、４Ｌ、４Ｒの表面積の比が０．６である請求項１〜４の何れかに記載のマッサージ具。
【請求項６】
上記触圧子４ａ、４ｂ、４Ｌ、４Ｒは、特定の触圧子に対し隣接する触圧子の少なくとも２つ以上が逆極性となるよう配設されている請求項１〜５の何れかに記載のマッサージ具。
【考案の詳細な説明】
【技術分野】
【０００１】
本考案は、表面に複数の永久磁石で構成される触圧子を突設した球体を手で握り、手の平に触圧子を押圧しつつローリングすることで手のひらのツボを刺激するようにしたマッサージ具に関する。
【背景技術】
【０００２】
従来から、手のひらのツボをマッサージするマッサージ具として、例えばクルミなどを利用した略球形の握り指圧器具が使用されており、単一または一対のクルミまたは球体の握り加減を調整しながら手中でローリングすることで、手の平のツボを適度に刺激しつつ血液の循環を活発にさせる等の効果を得るツボ療法として周知である。
【０００３】
近年では、改良されたマッサージ具として球体または棒状体の表面に複数の突起部を設けたもの等が開発されている。
【考案の開示】
【考案が解決しようとする課題】
【０００４】
すなわち、この種の握り指圧器具として使用されるマッサージ具は、直径２〜３ｃｍの球体、または棒状体の表面に複数の突起部を設けた構成となっているが、
球体表面の凹凸部の形状、配置並びに突出高さなどの点において、効果を得るための握り方やローリング時における押圧力の加減が難しく、使用法が簡便で効果的なマッサージ具が要望されていた。
【０００５】
従って、本考案の目的とする所は、握り強さを加減する必要がなく普通に握ることでツボを効率良く押圧して刺激できることは勿論、血液の循環を活性化させ
ることができる感触の良いマッサージ具を提供することにある。
【課題を解決するための手段】
【０００６】
上記目的を達成する為に、本考案は次の技術的手段を有する。即ち、考案の実施の形態に対応する添付図面中の符号を用いてこれを説明すると、本考案は、木製で構成された球体２と、該球体２の表面に略均等配置になるよう植設し外方に向けて放射状に突出した複数の棒状触圧子４ａ、４ｂ、４Ｌ、４Ｒとから成り、上記触圧子４ａ、４ｂ、４Ｌ、４Ｒは、希土類を素材とする永久磁石で構成し、突出高さが外径と略同一寸法を有すると共に、上記球体２の中心Ｏを通る軸線Ｘ−Ｘ上に一対の触圧子４ａ、４ｂを配し、上記中心Ｏを頂点とする上記軸線Ｘ−Ｘ上に相互の頂角が略１２０°となる一対の仮想円錐体５ａ、５ｂを点対称に配置して該上記一対の仮想円錐体５ａ、５ｂの円錐面と交わる上記球体２の外周面に形成される一対の円周６ａ、６ｂ上に４本の触圧子４Ｌ、４Ｒをそれぞれ等配し、これらが相互に千鳥配置になるよう構成したことを特徴とするマッサージ具である。
上記によると、マッサージ具１を握る際は、球体２の表面に略均等に配置されて突設した複数の棒状触圧子４ａ、４ｂ、４Ｌ、４Ｒ間に複数の指を入れて木製の球体２を握ると、球体２の表面に略均等に配置されて突出高さｈが外径ｄと略同一寸法となるよう突設した複数の棒状触圧子４ａ、４ｂ、４Ｌ、４Ｒが手のひらのツボが適度に押圧され、これを適宜ローリングすることで複数のツボが順次押圧される。同時に上記複数の触圧子４ａ、４ｂ、４Ｌ、４Ｒから出される多数の磁力線が手中の血管を通過して血液を磁化させる。
従って、球体２の表面に略均等に配置されて突出高さｈが外径ｄと略同一寸法となるよう突設した複数の棒状触圧子４ａ、４ｂ、４Ｌ、４Ｒ間にそれぞれ指が入る領域を有しているので、マッサージ具１を握った際に木製で構成した球体２表面のソフトな感触が得られ、球体２の表面に略均等配置となるよう植設された複数の触圧子４ａ、４ｂ、４Ｌ、４Ｒが、最適な間隔ないし突出寸法ｈ、外径寸法ｄを有しているので、握り強さを加減する必要がなくローリングしつつ普通に握ることでツボが効率良く押圧されて刺激を与えることができることは勿論、磁力線の作用で血液の循環を活発にさせることができる。また、永久磁石の素材に保持力の大きい希土類を採用することにより、磁力の保持力が維持されるので長期的に使用することができる。
【０００７】
また、本考案は、上記触圧子４ａ、４ｂ、４Ｌ、４Ｒが、球体２表面に略均等に描かれる仮想三角形Ｔの各頂点４ａ′、４ｂ′、４Ｌ′、４Ｒ′に配置されているマッサージ具である。
上記によると、マッサージ具１を握ることで、球体表面に略均等に描かれる仮想三角形Ｔの各頂点４ａ′、４ｂ′、４Ｌ′、４Ｒ′に配置された３個の触圧子が手のひらを同時に均等に押圧する。
従って、単一のツボ以外の、複数のツボを同時に押圧する際は押圧力が分散されるので刺激を緩和することができ、効率良く刺激が伝わるだけでなく、磁力線を広範囲に作用させることができる。
【０００８】
更に本考案は、上記球体２の直径Ｄが２７ｍｍ〜３７ｍｍであって、上記触圧子４ａ、４ｂ、４Ｌ、４Ｒの直径ｄ及び突出高さｈが６ｍｍ〜８ｍｍで形成され、上記球体２の直径Ｄに対する触圧子４ａ、４ｂ、４Ｌ、４Ｒの突出高さｈの比が０．２２となるマッサージ具である。
上記によると、マッサージ具１を握ると球体２が手の内部に収容され、球体２表面から６ｍｍ〜８ｍｍ突出した単一の触圧子４ａ、４ｂ、４Ｌ、４Ｒが手のひら中のツボを押圧した際に、該触圧子４ａ、４ｂ、４Ｌ、４Ｒ周辺の球体２の表面が手のひらに接触する。
従って、上記球体２及び触圧子４ａ、４ｂ、４Ｌ、４Ｒを上記寸法ないし比率で構成することで、単一の触圧子４ａ、４ｂ、４Ｌ、４Ｒが手のひら中のツボを強く押圧した場合でも、押圧力が周囲の球体の表面によって緩和されて適度の刺激を得ることができる。
【０００９】
また本考案は、上記球体２の直径Ｄに対し、上記球体２の表面上における隣接する触圧子４ａ、４ｂ、４Ｌ、４Ｒ中心間の直線長さＬの比が、０．７８となるマッサージ具１である。
上記によると、マッサージ具１を握る際に、複数の触圧子４ａ、４ｂ、４Ｌ、４Ｒ間にそれぞれ指が入り、複数の指で球体２を握ることで、ローリングしつつ球体２表面上に突出した触圧子４ａ、４ｂ、４Ｌ、４Ｒにより手のひらの適所を押圧する。
従って、複数の触圧子４ａ、４ｂ、４Ｌ、４Ｒ間に入り込んだそれぞれ指を木製の球体２に接触させてローリングして手のひらの適所を押圧しつつ、それぞれの指先により球体２の表面を押圧し、または滑らせることでマッサージすることができる。
【００１０】
更に本考案は、上記球体２の表面積に対する全触圧子４ａ、４ｂ、４Ｌ、４Ｒの表面積の比が０．６となるマッサージ具である。
上記によると、マッサージ具１を握ることで、マッサージ具１全体がほぼ手のなかに収まる状態となる。
従って、マッサージ具１を握った状態が外観上目立つこともなく、使用する場所を選ばずに使用することができる。
【００１１】
更にまた、本考案は、上記触圧子４ａ、４ｂ、４Ｌ、４Ｒが、特定の触圧子に対し隣接する触圧子の少なくとも２つ以上が逆極性となるよう配設されているマッサージ具である。
上記によると、特定の触圧子４ａ、４ｂ、４Ｌ、４Ｒに対し隣接する少なくとも２つ以上の逆極性となる触圧子間で磁力線が作用する。
従って、触圧子４ａ、４ｂ、４Ｌ、４Ｒ間で作用する多数の磁力線により大きな磁界が形成されるので、手のひらにおける複数の血管に磁力線がおよび、血液の循環が広範囲に亘って活性化される。
【考案の効果】
【００１２】
以上詳述した如く本願の請求項１記載の考案によると、木製の球体表面に、略均等に配置されて突出高さが外径と略同一の寸法となるように複数の棒状触圧子を植設することで、これら棒状触圧子間にはそれぞれ指が入る領域が形成されるので、マッサージ具を握った際に、木製で構成した球体表面のソフトな感触が得られる。また、球体の表面に植設された複数の触圧子が、最適な間隔ないし突出寸法、外径寸法を有しているので、従来のように握り強さを加減する必要がなくローリングしつつ普通に握ることでツボが効率良く押圧されて刺激を与えることができることは勿論、磁力線の作用で血液の循環を活発にさせることができる。さらに、永久磁石の素材に保持力の大きい希土類を採用することにより、磁力の保持力が維持されるので長期的に使用することができる。
請求項２記載の考案によると、単一のツボ以外に複数のツボを同時に押圧する際は３個またはそれ以上の触圧子によって押圧力が分散されるので、刺激を緩和することができ、効率良く刺激が伝わるだけでなく、磁力線を広範囲に作用させることができる。
請求項３記載の考案によると、マッサージ具を握った際に球体が手の内部に収容可能な寸法ないし比率で球体及び触圧子を構成することで、単一の触圧子が手のひら中のツボを強く押圧した場合でも、押圧力が周囲の球体の表面によって緩和されて適度の刺激を得ることができる。
請求項４記載の考案によると、複数の触圧子間に入れたそれぞれ指を木製の球体表面に接触させてローリングして手のひらの適所を押圧しつつ、それぞれの指先により球体の表面を押圧し、または滑らせることでマッサージすることができる。
請求項５記載の考案によると、球体の表面積に対する全触圧子の表面積の比がマッサージ具を握ると全体がほぼ手のなかに収まる寸法ないし比率となっているので、マッサージ具を握った状態が外観上目立つこともなく、使用する場所を選ばずに使用することができる。
請求項６記載の考案によると、特定の触圧子に対し隣接する少なくとも２つ以上の触圧子が逆極性となるよう配置されているので、単一ないし逆極性となる触圧子間で作用する多数の磁力線により大きな磁界が形成され、手のひらにおける複数の血管に磁力線がおよび、血液の循環を広範囲に亘って活性化することができる。
【考案を実施するための最良の形態】
【００１３】
次に、添付図面、図１〜図３により、本考案の一実施の形態を順次詳細に説明する。図１は本考案の一実施形態に係るマッサージ具の全体斜視図、図２はマッサージ具の具体的な構成を示す説明図であり、図３は触圧子の配置関係を示す説明図である。
【００１４】
図１において、符号１はマッサージ具を示しており、このマッサージ具１は、
木製で構成された球体２と、この球体２の表面に略均等配置になるよう外方に向けて放射状に突出するように植設された複数の触圧子４とから構成されている。
【００１５】
上記触圧子４は、希土類を素材とする永久磁石により構成されており、球体２の表面からの突出高さｈが、触圧子４の直径ｄと略同一寸法（約７ｍｍ）で形成されており、上記球体２の中心Ｏを通る基準軸線Ｘ−Ｘ上における球体２の両側に一対の触圧子４ａ、４ｂが植設されている。
【００１６】
そして、図３に示すように、上記球体２の中心Ｏを頂点とする上記基準軸線Ｘ−Ｘ上に、相互の頂角が略１２０°となる一対の仮想円錐体５ａ、５ｂを点対称に配置することで、これら一対の仮想円錐体５ａ、５ｂの円錐面と交わる球体２両側の外周面に一対の円６ａ、６ｂが形成される。
【００１７】
そこで、球体２の左右両側の外周面に形成された一対の円６ａ、６ｂの周囲を４等配する箇所にそれぞれ４個の触圧子４Ｌ、４Ｌ…及び４Ｒ、４Ｒ…が植設され、これら４個の触圧子４Ｌ、４Ｌ…及び４Ｒ、４Ｒ…は、互い違いに千鳥状に配置される。
【００１８】
詳しくは、これらの触圧子４は、図３に示すように、球体２の表面に描かれる仮想三角形Ｔの各頂点４ａ′、４ｂ′、４Ｌ′、４Ｒ′（球体の表面側はハッチングで示し、裏面側は点線で示している）に配置されている。
【００１９】
このように、木製の球体２に中心Ｏを通る基準軸線Ｘ−Ｘを設けることにより、この基準軸線Ｘ−Ｘを基準として球体の加工ないし触圧子４を植設するための嵌入孔を容易に加工することができる。
【００２０】
更に具体的には、図２に示すように、球体２の直径Ｄは約２５ｍｍであって、触圧子４ａ、４ｂ、４Ｌ、４Ｒの直径ｄ及び突出高さｈが約７ｍｍとなるよう構成され、上記球体２の直径Ｄに対する触圧子４ａ、４ｂ、４Ｌ、４Ｒの突出高さｈの比が０．２２となるよう構成されている。
【００２１】
そして、球体２の直径Ｄに対し、この球体２の表面上において互いに隣接する触圧子４ａ、４ｂ、４Ｌ、４Ｒ中心間における直線長さの比は０．７８となっている。
【００２２】
更に、球体２の表面積は３２１７ｍｍ２であり、球体２の表面積に対する全触圧子の表面積１９２．４ｍｍ２×１０＝１９２４ｍｍ２の比が約０．６となるよう構成されている。
【００２３】
また、基準軸線Ｘ−Ｘ上に植設される触圧子４ａ、４ｂを中心とする周囲には、それぞれ４個の触圧子４Ｌ、４Ｌ…及び４Ｒ、４Ｒ…が均等に隣接して配置されており、これら周囲に配設される４個の触圧子４Ｌ、４Ｌ…及び４Ｒ、４Ｒ…の内の２つは、触圧子４ａ、４ｂに対し逆極性となるよう配設されている。
【００２４】
そしてまた、触圧子４ａ、４ｂ以外の触圧子４Ｌ、４Ｌ…及び４Ｒ、４Ｒ…を特定した場合には、その特定された触圧子を中心とする周囲には触圧子４ａ、４ｂの何れかを含む５個の触圧子４Ｌ及び／または４Ｒが均等に隣接して配置されており、これら周囲に配設される５個の触圧子４Ｌ、４Ｒ、４Ｌ、４Ｒ…の内の３または４個が、特定された触圧子に対し逆極性となるよう配設されている。
【００２５】
このように構成することで、特定の触圧子に対し隣接する少なくとも２つ以上は逆極性となり触圧子間で磁力線が作用することから、各触圧子間で作用する多数の磁力線により大きな磁界が形成されるので、手のひらにおける複数の血管に磁力線が作用し、血液の循環を広範囲に亘って活性化することができる。
【００２６】
次に、上記のように構成されたマッサージ具１を使用するに際し、球体２の表面に略均等に配置されて突設した複数の丸棒状に形成された触圧子４ａ、４ｂ、４Ｌ、４Ｒ間に複数の指を入れて木製の球体２を握ると、球体２の表面に略均等に配置されて、触圧子４ａ、４ｂ、４Ｌ、４Ｒの直径ｄ＝７ｍｍと略同一寸法となる突出高さｈ＝７ｍｍで突設した複数の触圧子４ａ、４ｂ、４Ｌ、４Ｒが手のひらのツボが適度に押圧される。
【００２７】
さらに、このマッサージ具１を適宜ローリングすることで複数のツボが順次押圧される。同時に複数の触圧子４ａ、４ｂ、４Ｌ、４Ｒから出される多数の磁力線が手中の血管を通過することで血液が磁化されることになる。
【００２８】
このようにすると、球体２の表面に略均等に配置された触圧子４ａ、４ｂ、４Ｌ、４Ｒは、突出高さ（ｈ＝７ｍｍ）が触圧子４ａ、４ｂ、４Ｌ、４Ｒの直径（ｄ＝７ｍｍ）と略同一寸法となるよう突設し、複数の触圧子４ａ、４ｂ、４Ｌ、４Ｒ間（Ｌ＝２５ｍｍ）には複数の指が入る領域を有しているので、マッサージ具１を握った際に木製で構成した球体２の表面によりソフトな感触が得られる。
【００２９】
また、球体２の表面に略均等配置になるよう植設された複数の触圧子４ａ、４ｂ、４Ｌ、４Ｒが、最適な触圧子間の間隔Ｌないし突出高さｈ、直径ｄを有しているので、握り強さを加減する必要がなくローリングしつつ普通に握ることでツボが効率良く押圧されて適度な刺激を与えることができることは勿論、磁力線の作用で血液の循環を活発にさせることができる。また、触圧子４ａ、４ｂ、４Ｌ、４Ｒを構成する永久磁石の素材に保持力の大きい希土類を採用することにより、磁力の保持力が維持されるので長期的に使用することができる。
【００３０】
更にマッサージ具１を握った際には、球体２の表面に略均等に描かれる仮想三角形の各頂点に配置された３個またはそれ以上の触圧子４ａ、４ｂ、４Ｌ、４Ｒが手のひらを同時に均等に押圧することになるので、３個またはそれ以上の触圧子により単一のツボ以外に複数のツボを同時に押圧することで、押圧力が分散されて刺激が緩和され、効率良く刺激が伝えられるだけでなく、磁力線を広範囲に作用させることができる。
【００３１】
加えて、マッサージ具１は、直径が約３２ｍｍに形成された球体２の表面に、直径ｄと同寸の突出高さｈを７ｍｍとする触圧子４ａ、４ｂ、４Ｌ、４Ｒを均等に植設して、球体２の直径３２ｍｍに対する触圧子４ａ、４ｂ、４Ｌ、４Ｒの突出高さ７ｍｍの比が０．２２となるように構成されるので、このマッサージ具１を握った際に、このマッサージ具１が手のひらの内部に収まり、球体２の表面から突出した単一の触圧子が手のひらのツボを押圧すると触圧子周辺の球体表面が手のひらに接触することになる。
【００３２】
従って、上記球体２及び触圧子４ａ、４ｂ、４Ｌ、４Ｒを上記寸法ないし比率で構成することで、単一の触圧子が手のひら中のツボを強く押圧した場合でも、
その押圧力が周囲の球体２表面との接触によって緩和されて適度の刺激を得ることができる。
【００３３】
更に、球体２の直径に対し、この球体２の表面上において隣接する触圧子中心間の直線長さとの比率が０．７８となる構成にすることにより、マッサージ具１を握った際に、複数の触圧子４ａ、４ｂ、４Ｌ、４Ｒの間にそれぞれ指が入り込み、複数の指で球体２を握ることで、ローリングしつつ球体表面上に突出した触圧子により手のひらの適所が押圧される。
【００３４】
このように、複数の触圧子間に指を入れて木製の球体を把持し、ローリングすることで手のひらの適所を押圧すると同時にそれぞれの指先により球体の表面を押圧し、擦ることで指先並びに指の内側をマッサージすることができる。
【００３５】
また、球体２の表面積に対する全触圧子の表面積の比率が０．６となる構成にすることで、マッサージ具１を握るとこのマッサージ具１全体がほぼ手のなかに収まる状態となることから、マッサージ具１を握った状態が外観上目立つことがなく、使用する場所を選ばずにどこでも使用することができる。
【００３６】
従って、本考案のマッサージ具は、上記の実施形態に示した構成とすることにより、球体を握った際の手の平の感触や重量感、触圧子の形状、配置並びに突出高さがツボを効率良く刺激することができる。
【図面の簡単な説明】
【００３７】
【図１】本考案の一実施形態に係るマッサージ具の全体斜視図である。
【図２】マッサージ具の具体的な構成を示す説明図である。
【図３】触圧子の配置関係を示す説明図である。
【符号の説明】
【００３８】
１              マッサージ具
２              球体
４              触圧子
４ａ、４ｂ      触圧子
４Ｌ、４Ｒ      触圧子
４ａ′、４ｂ′  頂点
４Ｌ′、４Ｒ′  頂点
５ａ、５ｂ      仮想円錐体
６ａ、６ｂ      円
Ｄ              直径
Ｌ              触圧子間の間隔
Ｏ              中心
Ｔ              仮想三角形
Ｘ−Ｘ          基準軸線
ｄ              触圧子の直径
ｈ              突出高さ
【図１】
0003117052.tif 000003
【図２】
0003117052.tif 000004
【図３】
0003117052.tif 000005